(57)【要約】【課題】意図しない点灯状態の切り替えを防止することが可能な照明装置を提供する。【解決手段】照明装置１０は、光源５を点灯状態が異なる複数の点灯モードで点灯させるように制御する制御部４と、光源５の点灯状態を切り替える操作入力を受け付ける操作部７と、を備える。制御部４は、予め設定した設定時刻で点灯モードを切り替えるタイマ切替機能を有している。制御部４は、操作部７が操作入力を受け付けた受付時刻と設定時刻とを比較し、受付時刻以前の直近の設定時刻に対応した点灯モードに切り替える。【選択図】図１
2020043094.tif 000002
【特許請求の範囲】
【請求項１】
光源を点灯状態が異なる複数の点灯モードで点灯させるように制御する制御部と、
前記光源の点灯状態を切り替える操作入力を受け付ける操作部と、
を備え、
前記制御部は、予め設定した設定時刻で前記点灯モードを切り替えるタイマ切替機能を有しており、
前記制御部は、前記操作部が前記操作入力を受け付けた受付時刻と前記設定時刻とを比較し、前記受付時刻以前の直近の前記設定時刻に対応した前記点灯モードに切り替えることを特徴とする照明装置。
【発明の詳細な説明】
【技術分野】
【０００１】
本発明は、照明装置に関し、より詳細には、設定時刻ごとに光源の点灯状態を切り替えるタイマ切替機能を備えた照明装置に関する。
【背景技術】
【０００２】
従来、快適な照明空間の確保や省エネルギ化のため、タイマ切替機能を備えた照明装置が利用されている。
【０００３】
この種の照明装置としては、タイマ部と、記憶部と、照明器具と、設定部と、表示部と、制御部と、調光信号出力部と、を備えた構成が知られている（たとえば、特許文献１）。
【０００４】
特許文献１の照明装置では、タイマ部は、現在時刻を計測し、記憶部は、各時刻の光出力を決定するための情報を記憶している。設定部は、所定の時刻で照明器具の光出力が切替わる複数のモードを記憶部に設定する。表示部は、設定部の設定内容を表示する。制御部は、タイマ部で計測された現在時刻が記憶部に記憶された所定の時刻になると照明器具の調光信号を切り替える。調光信号出力部は、照明器具に調光信号を出力する。特許文献１の照明装置では、ある特定の時刻以降にモードが重なると前のモードを優先するように構成することで、複数のモードの設定が簡単でかつ設定した内容を容易に変更することができる、としている。
【先行技術文献】
【特許文献】
【０００５】
【特許文献１】特開２００２−２５２０９２号公報
【発明の概要】
【発明が解決しようとする課題】
【０００６】
ところで、照明装置では、タイマ切替機能が有効な場合、使用者の不在時などにおいて、使用者の意図しない点灯状態の切り替えが行われる場合がある。特許文献１の照明装置では、使用者の意図しない点灯状態の切り替えを防止することについて開示されていない。
【０００７】
本発明の目的は、意図しない点灯状態の切り替えを防止することが可能な照明装置を提供することにある。
【課題を解決するための手段】
【０００８】
本発明の照明装置は、光源を点灯状態が異なる複数の点灯モードで点灯させるように制御する制御部と、上記光源の点灯状態を切り替える操作入力を受け付ける操作部と、を備えている。上記制御部は、予め設定した設定時刻で上記点灯モードを切り替えるタイマ切替機能を有している。上記制御部は、上記操作部が上記操作入力を受け付けた受付時刻と上記設定時刻とを比較し、上記受付時刻以前の直近の上記設定時刻に対応した上記点灯モードに切り替えることを特徴とする。
【発明の効果】
【０００９】
本発明の照明装置は、意図しない点灯状態の切り替えを防止することができる。
【図面の簡単な説明】
【００１０】
【図１】実施形態１の照明装置を示す模式的ブロック図である。
【図２】実施形態１の照明装置の動作を説明するタイミング図である。
【図３】実施形態１の照明装置の要部を分解した説明図である。
【図４】実施形態１の照明装置に用いられるリモートコントローラの正面図である。
【図５】実施形態１に用いられるリモートコントローラの要部を示す正面図である。
【図６】実施形態２の照明装置に用いられるリモートコントローラの正面図である。
【図７】実施形態２に用いられるリモートコントローラの要部を示す正面図である。
【図８】実施形態３の照明装置を示す模式的ブロック図である。
【発明を実施するための形態】
【００１１】
（実施形態１）
以下では、本実施形態の照明装置１０について、図１ないし図５を用いて説明する。図中においては、同じ部材に対し、同じ符号を付して重複する説明を省略する。本発明は、以下の実施形態に限定されず、本発明に係る技術思想を逸脱しない範囲であれば、設計等に応じて種々の変更が可能である。
【００１２】
本実施形態の照明装置１０は、図１に示すように、光源５を点灯状態が異なる複数の点灯モードで点灯させるように制御する制御部４を備えている。制御部４は、予め設定した設定時刻で点灯モードを切り替えるタイマ切替機能を有している。制御部４は、図２に示すように、タイマ切替機能が有効であっても、光源５を複数の点灯モードのうちの特定の点灯モードにさせている場合には、設定時刻で点灯モードを切り替えないように構成されている。図２中の斜線の領域は、タイマ切替機能が有効であっても、光源５の点灯モードが切り替えられていない状態を例示している。
【００１３】
本実施形態の照明装置１０は、タイマ切替機能が有効であっても、光源５を特定の点灯モードにさせている場合には、設定時刻で点灯モードを切り替えない構成により、意図しない点灯状態の切り替えを防止することができる。
【００１４】
以下では、本実施形態の照明装置１０の具体的な構成について説明する。
【００１５】
本実施形態の照明装置１０は、図１および図３に示すように、照明器具１０ａと、リモートコントローラ１０ｂと、を備えている。以下では、リモートコントローラ１０ｂをリモコン１０ｂとも称する。
【００１６】
照明器具１０ａは、図１に示すように、点灯回路部３と、制御部４の一部と、光源５と、常夜灯６と、第１記憶部１２と、光検知センサ１４と、を備えている。点灯回路部３は、第１点灯回路部３ａと、第２点灯回路部３ｂと、力率改善回路３ｃと、を備えている。照明器具１０ａは、制御部４の一部として、照明制御部４ａと、受信部４ｂと、を備えている。光源５は、第１光源部５ａと、第２光源部５ｂと、を備えている。
【００１７】
第１光源部５ａは、１乃至複数個の発光ダイオードを、電気的に直列に接続させた構成としている。第１光源部５ａは、たとえば、相関色温度が６５００Ｋで昼光色の光を放射する発光ダイオードを用いることが好ましい。同様に、第２光源部５ｂは、１乃至複数個の発光ダイオードを、電気的に直列に接続させた構成としている。第２光源部５ｂは、第１光源部５ａと発光色が異なる発光ダイオードを用いて構成している。第２光源部５ｂは、たとえば、相関色温度が２７００Ｋで電球色の光を放射する発光ダイオードを用いることが好ましい。
【００１８】
日本工業規格（ＪＩＳ  Ｚ９１１０  照明基準総則）では、相関色温度が３３００Ｋ未満の光色を「暖色」、相関色温度が５３００Ｋを超える光色を「涼色」、相関色温度が３３００Ｋ〜５３００Ｋの範囲の光色を「中間色」と定義している。言い換えれば、第１光源部５ａは、清涼感のある涼しい色温度を示す「涼色」の光を放射する。第２光源部５ｂは、暖色でくつろぎ感を人に感じさせる温かい色温度を示す「暖色」の光を放射する。光源５は、点灯回路部３から給電されて光を放射する。
【００１９】
点灯回路部３では、第１光源部５ａを点灯させる第１点灯回路部３ａと、第２光源部５ｂを点灯させる第２点灯回路部３ｂとを、基本的に同様の構成としている。以下では、第１点灯回路部３ａの構成についてのみ説明し、第２点灯回路部３ｂの説明を省略する。
【００２０】
第１点灯回路部３ａは、降圧チョッパ回路と、降圧チョッパ回路を駆動する駆動回路と、を備えたスイッチング電源回路を構成している。スイッチング電源回路は、スイッチングのデューティ比に応じて、第１光源部５ａの光出力を増減させることができる。第１点灯回路部３ａは、力率改善回路３ｃから出力される直流電圧を、第１光源部５ａの駆動電圧まで降圧する。
【００２１】
力率改善回路３ｃは、商用の交流電源１００から供給される交流電圧よりも高い直流電圧を出力する昇圧チョッパ回路を用いて構成されている。力率改善回路３ｃは、第１点灯回路部３ａや第２点灯回路部３ｂで発生する高調波電流を所定の制限値以下に抑制する。点灯回路部３は、照明制御部４ａからの制御信号に基づいて、第１点灯回路部３ａと、第２点灯回路部３ｂとがそれぞれ個別に制御される。制御信号は、所望の点灯モードを実行する情報が含まれている。図１では、照明制御部４ａから第１点灯回路部３ａ、第２点灯回路部３ｂへの制御信号の流れを、破線の矢印で例示している。
【００２２】
照明制御部４ａは、第１点灯回路部３ａおよび第２点灯回路部３ｂをそれぞれ制御することで、光源５から放射される光の色温度や調光比を制御することができる。照明制御部４ａは、第１点灯回路部３ａおよび第２点灯回路部３ｂをそれぞれ制御し、第１光源部５ａと第２光源部５ｂとの光出力の割合を変化させることで、たとえば、光源５からの光の色を「涼色」から「暖色」まで調色することができる。照明制御部４ａは、第１点灯回路部３ａおよび第２点灯回路部３ｂをそれぞれ制御し、第１光源部５ａと第２光源部５ｂとの光出力の割合を保ったまま第１光源部５ａの光出力と第２光源部５ｂの光出力を増減させることで、光色を変化させないで調光できる。
【００２３】
照明制御部４ａは、たとえば、ＣＰＵ(Central Processing Unit)を備えたマイクロコンピュータを用いて構成することができる。照明制御部４ａは、動作電力を力率改善回路３ｃから供給されるように構成されている。照明制御部４ａは、第１記憶部１２に記憶させた適宜のプログラムを実行させることで、所定の制御動作を行うことができる。第１記憶部１２は、たとえば、フラッシュメモリやＥＥＰＲＯＭ（Electrically Erasable and Programmable Read Only Memory）（登録商標）などの不揮発性半導体メモリを用いて構成することができる。
【００２４】
照明制御部４ａは、受信部４ｂと電気的に接続されている。受信部４ｂは、赤外線受光素子と、赤外線受光素子の出力を増幅し所定の信号処理を行う信号処理部と、を備えている。受信部４ｂは、リモコン１０ｂから送信される赤外信号を受信できるように構成されている。リモコン１０ｂからの赤外信号には、光源５を調光制御する調光指令、光源５を調色制御する調色指令などの点灯モードの情報が含まれている。受信部４ｂは、赤外線受光素子で受信した赤外信号から復調した点灯モードの情報を、信号処理部が照明制御部４ａに出力する。
【００２５】
照明制御部４ａは、常夜灯６と電気的に接続されている。常夜灯６は、照明制御部４ａによって点灯が制御される。常夜灯６は、たとえば、発光ダイオードを用いて構成することができる。照明制御部４ａは、光源５を消灯させ、且つ常夜灯６を点灯させることができるように構成されている。なお、常夜灯６は、光源５と別体に設けられた構成だけに限られず、光源５自体を常夜灯６として利用する構成でもよい。ここで、点灯モードには、光源５を光色や光出力が異なる点灯状態にさせるだけでなく、光源５から光が放射されない消灯状態にさせる場合も含んでいる。
【００２６】
照明制御部４ａは、光検知センサ１４と電気的に接続されている。光検知センサ１４は、光電変換素子と、光電変換素子からの出力を受けて信号処理するセンサ信号処理部と、を有している。光電変換素子は、たとえば、フォトダイオード、フォトトランジスタや太陽電池を用いることができる。光検知センサ１４は、照明器具１０ａが光を放射する床面などの照射面の明るさに対応したレベルの電気信号を照明制御部４ａに出力する。照明制御部４ａは、たとえば、照射面に自然光などの外光が照射されても、照射面が予め設定した明るさを維持するように、照明制御部４ａが光検知センサ１４からの電気信号に基づいて光源５から放射される光を調整できる。
【００２７】
本実施形態の照明装置１０における照明器具１０ａは、図３に示すように、引掛シーリングに取り付けられて天井材６０側に配置されるシーリングライトを構成している。
【００２８】
照明器具１０ａは、器具本体３２と、給電部３３と、ＬＥＤユニット３４と、配光パネル３５と、カバー３６と、を備えている。器具本体３２は、金属製の板材によって円盤状の外形形状に形成されている。器具本体３２は、給電部３３を中央部に配置している。給電部３３は、引掛シーリングへの装着と装脱とが自在に行うことができるように構成されている。給電部３３は、引掛シーリングに装着されると、商用の交流電源１００から点灯回路部３へ電力が給電できるように構成されている。
【００２９】
ＬＥＤユニット３４は、円弧状の平板で形成された実装基板４０と、実装基板４０の表面に２列に並べて弧状に実装された複数個の発光ダイオード４０ａと、を備えている。実装基板４０は、複数個の発光ダイオード４０ａのうち、第１光源部５ａを構成する「涼色」の発光ダイオードと、第２光源部５ｂを構成する「暖色」の発光ダイオードと、を円環の周方向に沿って交互に実装している。ＬＥＤユニット３４は、給電部３３を中心とする周方向に沿って円環状に４つ並べて、器具本体３２に取り付けられている。照明器具１０ａは、４つのＬＥＤユニット３４が光源５を構成している。
【００３０】
配光パネル３５は、円環状の外形形状をしている。配光パネル３５は、ＬＥＤユニット３４を覆うように、器具本体３２に固定される。配光パネル３５の材料は、たとえば、アクリル樹脂やポリカーボネート樹脂などの透光性樹脂を用いることができる。配光パネル３５は、各発光ダイオード４０ａとの対向部位に、発光ダイオード４０ａから放射される光の配光を制御する光学部品３５ａが一体的に形成されている。光学部品３５ａは、発光ダイオード４０ａからの光を拡散させて外部に放射させることができるように構成されている。
【００３１】
カバー３６は、一面が開口する扁平な円筒形状の外形形状をしている。カバー３６は、ＬＥＤユニット３４および配光パネル３５を内部に収納して、器具本体３２に装着される。カバー３６は、器具本体３２への装着および装脱を自在に行うことができるように構成されている。カバー３６は、たとえば、アクリル樹脂やポリカーボネート樹脂などの合成樹脂で形成することができる。
【００３２】
次に、リモコン１０ｂについて説明する。
【００３３】
リモコン１０ｂは、図１に示すように、タイマ部１と、制御部４の一部と、操作部７と、表示部２３と、電源部２４と、第２記憶部２５と、を備えている。リモコン１０ｂにおける制御部４は、駆動制御部４ｃと、送信部４ｄと、を備えている。
【００３４】
タイマ部１は、現在時刻を計時することができるように構成されている。タイマ部１は、たとえば、リアルタイムクロックＩＣを用いて構成することができる。駆動制御部４ｃは、送信部４ｄ、タイマ部１、操作部７、電源部２４や第２記憶部２５と電気的に接続されている。駆動制御部４ｃは、ＣＰＵを備えたマイクロコンピュータを用いて構成されている。
【００３５】
第２記憶部２５は、点灯モードに対応して光源５を所定の点灯状態にさせるための情報と、光源５の点灯状態を切り替えるために設定された設定時刻とを記憶している。すなわち、照明装置１０は、タイマ切替機能に用いられる記憶部２を、リモコン１０ｃの第２記憶部２５で構成している。第２記憶部２５は、駆動制御部４ｃが所定の制御を行うことができるように、適宜のプログラムが記憶されている。第２記憶部２５は、たとえば、フラッシュメモリやＥＥＰＲＯＭなどの不揮発性半導体メモリを用いて構成することができる。
【００３６】
送信部４ｄは、赤外線を発光可能な赤外線発光素子と、赤外線発光素子の駆動を制御する制御素子と、を備えている。赤外線発光素子は、たとえば、１乃至複数個の赤外発光ダイオードを用いることができる。制御素子は、赤外発光ダイオードのオンとオフとを制御するスイッチングトランジスタを用いることができる。
【００３７】
表示部２３は、現在時刻や点灯モードを表示する。表示部２３は、液晶表示装置を用いて構成することができる。表示部２３は、駆動制御部４ｃにより制御され、表示内容を変更することができる。電源部２４は、リモコン１０ｂの駆動用電源を供給する。電源部２４は、一次電池や二次電池を備えた構成としている。
【００３８】
駆動制御部４ｃは、操作部７の操作によって、設定時刻や点灯モードの設定を行うことができるように構成されている。操作部７は、複数の押しボタンスイッチを備えた構成としている。駆動制御部４ｃは、タイマ部１で計時した現在時刻と第２記憶部２５に記憶された設定時刻とを比較し、設定時刻で光源５の点灯状態を所定の点灯モードに切り替えるタイマ切替信号を、送信部４ｄから送信できるように構成されている。
【００３９】
駆動制御部４ｃは、操作部７が操作入力を受け付けた受付時刻をタイマ部１から読み取り、第２記憶部２５に記憶された設定時刻と比較する。駆動制御部４ｃは、受付時刻以前の直近の設定時刻に対応した点灯モードに切り替えるダイレクト切替信号を、送信部４ｄから送信できるように構成されている。
【００４０】
リモコン１０ｂは、図４および図５に示すように、外形形状が直方体の箱体２０を備えている。箱体２０は、本体部２０ａと、本体部２０ａの一部を覆う蓋体２０ｂと、を備えている。本体部２０ａは、内部が空洞に形成されている。箱体２０は、蓋体２０ｂと本体部２０ａとをそれぞれ、合成樹脂を用いて形成している。リモコン１０ｂは、本体部２０ａの内部に、タイマ部１、駆動制御部４ｃ、表示部２３、電源部２４および第２記憶部２５を収納している。送信部４ｄは、赤外線を外部に送信できるように本体部２０ａの内部に収納されている。操作部７は、使用者が操作できるように、一部が外部に露出している。
【００４１】
操作部７は、本体部２０ａの中央部に照明器具１０ａを点灯させる「点灯ボタン」７ａと、照明器具１０ａを消灯させる「消灯ボタン」７ｂと、を備えている。操作部７は、照明器具１０ａの常夜灯６を点灯させる「常夜灯ボタン」７ｃと、リモコン１０ｂに設けられた光源を手元のあかりとして点灯させる「手元灯ボタン」７ｄと、を備えている。
【００４２】
操作部７は、「全灯ボタン」７ｅと、「白い色ボタン」７ｆと、「暖かい色ボタン」７ｇと、「おまかせボタン」７ｓと、を備えている。リモコン１０ｂは、「全灯ボタン」７ｅが操作されると赤外信号を送信し、赤外信号を受信した照明器具１０ａは、たとえば、相関色温度が６２００Ｋの光を１００％の光出力で点灯するように構成されている。リモコン１０ｂは、「白い色ボタン」７ｆが操作されると赤外信号を送信し、赤外信号を受信した照明器具１０ａは、たとえば、相関色温度が６５００Ｋの光を８０％の光出力で点灯するように構成されている。リモコン１０ｂは、「暖かい色ボタン」７ｇが操作されると赤外信号を送信し、赤外信号を受信した照明器具１０ａは、たとえば、相関色温度３０００Ｋの光を約５０％の光出力で点灯するように構成されている。
【００４３】
リモコン１０ｂは、「おまかせボタン」７ｓが押されることで、「おまかせモード」にすることができる。照明装置１０では、「おまかせモード」が設定されると、設定時刻で点灯モードを切り替えるように構成されている。すなわち、照明装置１０では、「おまかせモード」が設定されると、タイマ切替機能が有効となる。
【００４４】
操作部７は、「白い色／暖かい色ボタン」７ｈと、「明るい／暗いボタン」７ｊと、を備えている。リモコン１０ｂは、「白い色／暖かい色ボタン」７ｈが操作されると、たとえば、光源５の光色を昼光色から電球色に連続で調整するように構成されている。リモコン１０ｂは、「明るい／暗いボタン」７ｊが操作されると、たとえば、光源５や常夜灯６の光出力を増減して光色を変えずに明るさのみを調整するように構成されている。
【００４５】
操作部７は、図５に示すように、リモコン１０ｂの蓋体２０ｂを開いた状態で、「おやすみボタン」７ｋ、「るすばんボタン」７ｍ、「チャンネルボタン」７ｎ、「時刻設定ボタン」７ｐが外部に露出するように構成されている。操作部７は、リモコン１０ｂの蓋体２０ｂを開いた状態で、時刻を設定する矢印記号が図示された「矢印ボタン」７ｑが外部に露出するように構成されている。リモコン１０ｂは、「おやすみボタン」７ｋが操作されると、照明器具１０ａは、たとえば、３０分後または６０分後に消灯するように構成されている。リモコン１０ｂは、「るすばんボタン」７ｍが操作されると、「るすばんモード」を設定することができる。照明装置１０は、「るすばんモード」が設定されると、所定の明るさで光源５を点灯させることができる。照明装置１０は、「るすばんモード」が設定されると、たとえば、使用者の留守中に自動で点灯・消灯し、使用者の在宅を装うことができるように構成されている。
【００４６】
リモコン１０ｂは、「チャンネルボタン」７ｎが操作されると、送信部４ｄが送信する赤外線の送信チャンネルを切り替えるように構成されている。リモコン１０ｂは、「チャンネルボタン」７ｎが操作されると、たとえば、一部屋に２台以上の照明器具１０ａがある場合、１台のリモコン１０ｂで送信チャンネルに対応する照明器具１０ａごとに操作することができる。リモコン１０ｂは、「チャンネルボタン」７ｎが操作されると、たとえば、１台のリモコン１０ｂで送信チャンネルに対応する複数の照明器具１０ａを同時に点灯させることができる。リモコン１０ｂは、「チャンネルボタン」７ｎが操作されると、たとえば、１台のリモコン１０ｂで異なる部屋の照明器具１０ａを別々に点灯制御させることができる。
【００４７】
以下では、照明装置１０の動作を図２に基づいて説明する。
【００４８】
照明装置１０は、「おまかせボタン」７ｓが操作され「おまかせモード」でタイマ切替機能が有効となった場合、設定時刻ごとに点灯モードの切り替えを自動的に繰り返す。図２では、設定時刻を、７：００、１２：００、２１：００としている。以下では、７：００から１２：００までを第１点灯モード、１２：００から２１：００までを第２点灯モード、２１：００から翌７：００までを第３点灯モードと称する。
【００４９】
第１点灯モードは、光源５が１００％の光出力で相関色温度が６２００Ｋの光を放射する。第２点灯モードは、光源５が予め任意に設定した記憶値に対応する相関色温度且つ光出力で放射する。第３点灯モードは、光源５が５０％の光出力で相関色温度が３０００Ｋの光を放射する。
【００５０】
照明装置１０は、「おまかせモード」が設定されると、照明器具１０ａの状態にかかわらず、設定時刻ごとに点灯モードを切り替える赤外信号をリモコン１０ｂが送信する。照明器具１０ａは、たとえば、タイマ部１の現在時刻が７：００になると光源５の点灯モードを第１点灯モードに、現在時刻が１２：００になると光源５の点灯モードを第２点灯モードに、現在時刻が２１：００になると第３点灯モードに切り替える。
【００５１】
より具体的には、照明装置１０は、図２に示すように、設定時刻７：００後において光源５を第１点灯モードで点灯させている。リモコン１０ｂは、タイマ部１の現在時刻が第２記憶部２５に記憶された設定時刻１２：００になると、第２点灯モードに対応するタイマ切替信号を照明器具１０ａに送信する。照明器具１０ａは、リモコン１０ｂからのタイマ切替信号を受信し第２点灯モードに切り替えて、予め設定した所定の明るさが維持できるように第１光源部５ａのみを点灯させる。照明器具１０ａは、光検知センサ１４からの信号に基づいて、屋外からの光と第１光源部５ａからの光との両方で、予め設定した明るさを確保できるように調光制御している。
【００５２】
次に、リモコン１０ｂは、タイマ部１の現在時刻が第２記憶部２５に記憶された設定時刻２１：００になると、第３点灯モードに対応するタイマ切替信号を照明器具１０ａに送信する。照明器具１０ａは、リモコン１０ｂからのタイマ切替信号を受信し第３点灯モードに切り替える。照明器具１０ａは、第１光源部５ａの光出力のみから第２光源部５ｂのみを点灯するように、第１光源部５ａの光出力を徐々に弱め且つ、第２光源部５ｂの光出力を徐々に高める。照明器具１０ａは、第３点灯モードにおいて、第２光源部５ｂの光出力を全出力の５０％となるように調光して点灯させる。照明装置１０は、タイマ切替機能が有効な場合、第１点灯モード、第２点灯モード、第３点灯モードが繰り返されるように、点灯モードが自動的に切り替える。
【００５３】
ところで、照明装置１０では、タイマ切替機能を有し照明器具１０ａに対応して設けられたリモコン１０ｂだけでなく、タイマ切替機能を備えていない図３に示す他のリモコン１０ｃや壁スイッチ１０ｄでも、照明器具１０ａの点灯状態が切り替えられる場合がある。壁スイッチ１０ｄは、たとえば、壁スイッチ１０ｄのスイッチを短時間にオンオフ操作されると、点灯状態を切り替える信号が照明器具１０ａに出力されるように構成されている。仮に、照明装置１０は、第３点灯モード中に他のリモコン１０ｃや壁材６１に設けられた壁スイッチ１０ｄにより照明器具１０ａを消灯してもタイマ切替機能が解除されないように構成しているとする。このように、照明装置１０は、たとえば、第３点灯モード中に、他のリモコン１０ｃや壁スイッチ１０ｄにより照明器具１０ａを消灯してもタイマ切替機能が解除されないように構成していることで、リモコン１０ｂで「おまかせモード」を設定し直さなくともよい。すなわち、照明装置１０は、点灯状態を変更した他のリモコン１０ｃや壁スイッチ１０ｄとは別途にリモコン１０ｂを操作して、タイマ切替機能を有効にする必要がなく、使用者の利便性を高めることができる。
【００５４】
しかしながら、上記のように、照明装置１０は、第３点灯モード中に他のリモコン１０ｃや壁スイッチ１０ｄにより照明器具１０ａを消灯してもタイマ切替機能が解除されない場合、リモコン１０ｂからのタイマ切替信号で、設定時刻７：００になると第１点灯モードに切り替わる。
【００５５】
そのため、照明装置１０は、他のリモコン１０ｃや壁スイッチ１０ｄにより照明器具１０ａを消灯する消灯モードにすれば、使用者が外出や就寝後に意図しない点灯状態の切り替えが行われる虞がある。
【００５６】
本実施形態の照明装置１０は、「おまかせモード」でタイマ切替機能が有効であっても、消灯モードにさせている場合には、設定時刻で光源５の点灯モードを切り替えないように構成している。リモコン１０ｂは、タイマ部１の現在時刻が設定時刻７：００になると、第１点灯モードに対応するタイマ切替信号を照明器具１０ａに送信する。照明制御部４ａは、リモコン１０ｂからのタイマ切替信号を受信しても、設定時刻７：００で点灯モードを切り替えず、消灯モードを維持する。これにより、本実施形態の照明装置１０は、意図しない点灯状態の切り替えを防止することが可能となる。
【００５７】
なお、リモコン１０ｂは、「消灯ボタン」７ｂ、「常夜灯ボタン」７ｃや「点灯ボタン」７ａが操作されて光源５の点灯モードが切り替えられた場合、タイマ切替機能が解除されるように構成している。言い換えると、照明装置１０は、リモコン１０ｂを手動で操作して点灯モードを切り替えた場合、タイマ切替機能が無効となる。照明装置１０では、再び「おまかせモード」に設定されるには、リモコン１０ｂの「おまかせボタン」７ｓが操作されればよい。
【００５８】
リモコン１０ｂは、「おまかせボタン」７ｓの長押し操作がされて、「おまかせモード」が設定されれば、ダイレクト切替信号を照明器具１０ａに送信する。照明器具１０ａは、ダイレクト切替信号を受信し、操作部７が操作を受け付けた受付時刻以前の直近の設定時刻７：００に対応する第１点灯モードに切り替えて、光源５を点灯させる。照明装置１０は、「おまかせボタン」７ｓの長押し操作がされて「おまかせモード」が設定されれば、再び順次に第２点灯モード、第３点灯モード、第１点灯モード、第２点灯モードが繰り返される。「おまかせボタン」７ｓの長押しとは、たとえば、数秒程度に設定されていればよい。照明装置１０は、「おまかせボタン」７ｓの長押しにより、受付時刻以前の直近の設定時刻に対応した点灯モードに切り替えるダイレクト切替機能を有効にすることができる。
【００５９】
言い換えれば、照明装置１０は、光源５の点灯状態を切り替える操作入力を受け付ける操作部７を備えている。制御部４は、操作部７が操作入力を受け付けた受付時刻と設定時刻とを比較し、受付時刻以前の直近の設定時刻に対応した点灯モードに切り替えるように構成されている。
【００６０】
照明装置１０は、受付時刻以前の直近の設定時刻に対応した点灯モードに切り替えることで、使用者に「おまかせモード」の状態への復帰を認識させやすくなる。
【００６１】
照明装置１０では、リモコン１０ｂがダイレクト切替信号を照明器具１０ａに送信する場合、照明器具１０ａは、特定の点灯モードであっても、設定時刻で点灯モードを切り替えるように構成されている。照明装置１０では、他のリモコン１０ｃなどで、消灯モードに設定されていても、使用者が必要に応じて「おまかせボタン」７ｓを操作すれば、受付時刻以前の直近の設定時刻に対応した点灯モードに手動で切り替えることができる。
【００６２】
本実施形態の照明装置１０では、光源５の点灯状態を切り替えるための点灯モードは、第１切替モード、第２切替モード、第３切替モードの３つだけに限られず、２つ以上の点灯モードがあればよい。各点灯モードは、光源の点灯状態が異なればよく、設定によって任意の点灯状態とすることができる。点灯モードを切り替えない特定の点灯モードは、消灯モードだけに限られず、光源とは別途に設けた常夜灯を点灯させる常夜灯モードであってもよい。
【００６３】
すなわち、特定の点灯モードは、光源５を消灯させる消灯モードであることが好ましい。
【００６４】
照明装置１０は、特定の点灯モードを消灯モードとすることで、使用者が外出時に他のリモコン１０ｃの操作により照明器具１０ａを消灯させたとしても、留守中に意図せず照明器具１０ａが点灯することを抑制することができる。
【００６５】
また、特定の点灯モードは、常夜灯６を点灯させる常夜灯モードであることが好ましい。
【００６６】
照明装置１０は、特定の点灯モードを常夜灯モードとすることで、使用者が就寝時に他のリモコン１０ｃの操作により照明器具１０ａを消灯させたとしても、起床前に意図せず照明器具１０ａが点灯することを抑制することができる。
【００６７】
（実施形態２）
実施形態２の照明装置１０は、実施形態１のリモコン１０ｂがタイマ切替機能とダイレクト切替機能とを操作部７の一つのボタンで兼用して機能させるのに対し、タイマ切替機能とダイレクト切替機能とを個別の２つのボタンで機能させる点が主として相違する。なお、実施形態１と同様の構成には、同一の符号を付して説明は省略する。
【００６８】
本実施形態の照明装置１０では、図６や図７に示すように、リモコン１０ｂの操作部７が、タイマ切替機能のオンとオフとを切り替える「おまかせボタン」７ｓと、ダイレクト切替機能のオンとオフとを切り替える「ダイレクトボタン」７ｔと、を個別に備えている。「おまかせボタン」７ｓと「ダイレクトボタン」７ｔとは、それぞれ押しボタンで構成することができる。
【００６９】
リモコン１０ｂは、タイマ切替機能のオンとオフとを制御する「おまかせボタン」７ｓをリモコン１０ｂの蓋体２０ｂで覆うように配置し、ダイレクト機能を操作する「ダイレクトボタン」７ｔを蓋体２０ｂに覆われていない本体部２０ａに配置している。リモコン１０ｂでは、「おまかせボタン」７ｓが蓋体２０ｂで覆われていることで、タイマ切替機能が誤って操作されることを抑制することができる。リモコン１０ｂは、使用者が比較的に使用する頻度が高いダイレクト機能の操作する「ダイレクトボタン」７ｔを蓋体２０ｂに覆われていない本体部２０ａの表面に露出させていることで、利便性を高めることができる。
【００７０】
照明装置１０は、リモコン１０ｂの「おまかせボタン」７ｓが操作された場合、タイマ切替機能が有効となる。照明装置１０は、リモコン１０ｂの「おまかせボタン」７ｓが再操作された場合、タイマ切替機能を停止する。
【００７１】
照明装置１０は、「ダイレクトボタン」７ｔが光源５の点灯状態を切り替える操作入力を受け付けることができるように構成されている。照明装置１０では、特定の点灯モードであっても、「ダイレクトボタン」７ｔが操作されると、「ダイレクトボタン」７ｔが操作された受付時刻以前の直近の設定時刻に対応した点灯モードに切り替えることができるように構成されている。
【００７２】
本実施形態の照明装置１０は、リモコン１０ｂにより「消灯ボタン」７ｂ、「常夜灯ボタン」７ｃや「点灯ボタン」７ａが操作され点灯モードが切り替えられても、「おまかせボタン」７ｓが再操作されない限り、タイマ切替機能が解除されないようにしている。
【００７３】
照明装置１０は、リモコン１０ｂにより点灯モードが切り替えられ、タイマ切替機能が解除されない場合でも、「ダイレクトボタン」７ｔの操作だけでダイレクト切替機能を有効にでき、使用者の操作性を向上させることができる。
【００７４】
本実施形態の照明装置１０では、実施形態１の照明装置１０と同様に、タイマ切替機能が有効であっても、光源５を特定の点灯モードにさせている場合には、設定時刻で点灯モードを切り替えないため、意図しない点灯状態の切り替えを防止することができる。
【００７５】
（実施形態３）
実施形態３の照明装置１０は、実施形態１におけるリモコン１０ｂにタイマ部１を備える構成の代わりに、照明器具１０ａにタイマ部１を備えた点が主として相違する。なお、実施形態１と同様の構成には、同一の符号を付して説明は省略する。
【００７６】
本実施形態の照明装置１０では、図８に示すように、タイマ切替機能に用いられるタイマ部１を照明器具１０ａに備えている。照明装置１０は、タイマ切替機能に用いられる記憶部２を、照明器具１０ａの第１記憶部１２と、リモコン１０ｃの第２記憶部２５とで構成している。
【００７７】
リモコン１０ｂは、操作部７の「おまかせボタン」７ｓが操作されると、「おまかせボタン」７ｓが操作される毎に、送信部４ｄから照明器具１０ａに点灯モードを切り替える設定時刻の情報が含まれた赤外信号が送信される。照明器具１０ａでは、受信部４ｂが赤外信号を受信し、第１記憶部１２に設定時刻が記憶されてタイマ切替機能が有効となる。照明器具１０ａは、点灯モードを切り替える設定時刻の情報が含まれた赤外信号を受信し、操作部７が操作を受け付けた受付時刻以前の直近の設定時刻に対応する点灯モードに切り替えて、光源５を点灯させる。次に、照明器具１０ａは、タイマ部１の現在時刻と第１記憶部１２に記憶された設定時刻とが一致すると、照明制御部４ａがタイマ切替機能に基づいて所定の点灯モードに切り替える。
【００７８】
リモコン１０ｂは、「おまかせボタン」７ｓが長押し操作された場合、送信部４ｄから照明器具１０ａにタイマ切替機能を停止する赤外信号が送信される。リモコン１０ｂは、「おまかせボタン」７ｓが長押し操作された場合、タイマ切替機能が解除される。
【００７９】
本実施形態の照明装置１０では、リモコン１０ｂは、実施形態１におけるリモコン１０ｂが光源５の点灯モードに対応するタイマ切替信号を照明器具１０ａに送信する代わりに、操作部７が操作される度に、設定時刻情報を送信する。
【００８０】
言い換えれば、照明装置１０では、リモコン１０ｂは、「おまかせボタン」７ｓが操作入力を受け付けた場合、毎回、設定時刻の情報を照明器具１０ａに送信する。照明器具１０ａは、設定時刻に自動で光源５の点灯モードを切り替える。
【００８１】
本実施形態の照明装置１０は、リモコン１０ｂにより「消灯ボタン」７ｂ、「常夜灯ボタン」７ｃや「点灯ボタン」７ａが操作され点灯モードが切り替えられても、「おまかせボタン」７ｓが再操作されない限り、タイマ切替機能が解除されないようにしている。
【００８２】
本実施形態の照明装置１０では、実施形態１の照明装置１０と同様に、タイマ切替機能が有効であっても、光源５を特定の点灯モードにさせている場合には、設定時刻で点灯モードを切り替えないため、意図しない点灯状態の切り替えを防止することができる。
【符号の説明】
【００８３】
４  制御部
５  光源
６  常夜灯
７  操作部
１０  照明装置
【図１】
2020043094.tif 000003
【図２】
2020043094.tif 000004
【図３】
2020043094.tif 000005
【図４】
2020043094.tif 000006
【図５】
2020043094.tif 000007
【図６】
2020043094.tif 000008
【図７】
2020043094.tif 000009
【図８】
2020043094.tif 000010